(57)【特許請求の範囲】
【請求項１】
複数の電気的なコンタクトがそれぞれ対で、十字型プラグ構造のセグメント内に配置されている差動式信号及びデータ伝送用プラグコネクタにおいて、
垂直に交わる２つの壁部（１１，１２）からなるプラグコネクタ（１）用十字型構造部が、長手方向に延在する等辺の導電性十字型遮蔽部（１０）として形成され、
前記十字型遮蔽部（１０）は、ほぼ十字型に成形された電気的に絶縁性の材料からなるコンタクト支持部（２０.０，２０.１，２０.２，２０.３，２０.４，２０.５）によって少なくとも部分的に取り囲まれ、
前記コンタクト支持部（２０.０，２０.１，２０.２，２０.３，２０.４，２０.５）の外側端部領域には、それぞれ等辺の内部エッジ（２２）がプラグコネクタの軸方向に配向されており、該内部エッジ（２２）は複数の収容溝（２３）を有しており、該収容溝（２３）には、プラグコネクタの軸方向に配向された複数の電気的コンタクト（３０）が配置されており、
前記コンタクト支持部（２０.０，２０.１，２０.２，２０.３，２０.４，２０.５）は、前記複数の電気的コンタクト（３０）と共に電気的に絶縁性の丸型本体（４０）によって取り囲まれており、さらに、
前記電気的に絶縁性の丸型本体（４０）は、その長手方向延在部分の中央付近に、遮蔽ばね（６０）が挿入される環状溝（４６）を有しており、前記遮蔽ばね（６０）は、前記丸型本体（４０）に設けられているスリット（４４）を介して前記導電性十字型遮蔽部（１０）と接触し、前記丸型本体（４０）を取り囲む電気的に遮蔽されたフロントプレート突出部（７５）と接触することを特徴とするプラグコネクタ。
【請求項２】
前記コンタクト支持部（２０.０）は、射出成形作業工程において前記十字型遮蔽部（１０）と固定的にかつ一体的に結合される、請求項１記載のプラグコネクタ。
【請求項３】
前記コンタクト支持部（２０.１）は一体型に構成される、又は、前記コンタクト支持部（２０.２）はシフトのために、かつ前記十字型遮蔽部（１０）を取り囲むために、多分割型に構成される、請求項１記載のプラグコネクタ。
【請求項４】
前記コンタクト支持部（２０.３，２０.４）は前記十字型遮蔽部（１０）を取り囲むために多分割型に構成され、前記十字型遮蔽部（１０）上で係止させるための係止手段（２５.２）を備えている、請求項１記載のプラグコネクタ。
【請求項５】
前記コンタクト支持部（２０.５）は、前記十字型遮蔽部（１０）を取り囲むために、複数のセグメント（２０.６）を有しており、該複数のセグメント（２０.６）は、ヒンジ接続部（２０.７）を介して相互に接続されており、さらに前記十字型遮蔽部（１０）上で係止させるための係止手段（２５.３）を有している、請求項１記載のプラグコネクタ。
【請求項６】
前記垂直に交わる２つの壁部（１１，１２）は、それぞれ対向的に、前記コンタクト支持部（２０）との係止のために第１の係止成形部（１５.１）を有し、さらに前記丸型本体（４０）との係止のために第２の係止成形部（１５.２）を有している、請求項１記載のプラグコネクタ。
【請求項７】
前記丸型本体（４０）は、前記十字型遮蔽部（１０）上で第２の係止成形部（１５.２）との係止のために少なくとも１つの長手方向スリット（４４）を有しており、前記長手方向スリット（４４）は前記丸型本体(４０)上で環状溝（４６）と当接し、当該環状溝（４６）には遮蔽ばね（６０）が挿入され、前記遮蔽ばね（６０）は、前記丸型本体（４０）に設けられているスリット（４４）を介して前記導電性十字型遮蔽部（１０）と接触し、前記丸型本体（４０）を取り囲む電気的に遮蔽されたフロントプレート突出部（７５）と接触する、請求項１記載のプラグコネクタ。
【請求項８】
収容溝（２３）内に挿入される電気的コンタクト（３０）の端子端部（３２.１）が位置決め支援部（５０）を用いて整列され、前記位置決め支援部（５０）は、２つのレベル面（５１，５２）に円形に分散配置された複数の開口部（５３.１，５３.２）を有しており、該複数の開口部（５３.１，５３.２）を通って前記電気的コンタクト（３０）の端子端部（３２.１）が貫通し、それによってプリント基板（６５）上で対応する相応のコンタクト孔部との正確な位置決めが行われる、請求項１記載のプラグコネクタ。
【請求項９】
前記電気的コンタクト（３０）は、差込側（３１）と、軸方向から約９０°折り曲げられた端子端部（３２.１）とを有しており、さらに異なって成形された複数の区分（３２.２，３２.３，３２.４）が、前記コンタクト支持部（２０）の収容溝（２３）内への正確な挿入のために設けられている、請求項１記載のプラグコネクタ。
【請求項１０】
前記十字型遮蔽部（１０）の水平壁部（１２）は、前記十字型遮蔽部（１０）の長手方向に対して９０°横方向に折り曲げて成形された壁部（１３）を有し、それによって前記壁部（１３）が上方及び下方の電気的コンタクト（３０）を分離している、請求項１記載のプラグコネクタ。
【発明の詳細な説明】
【技術分野】
【０００１】
本発明は、複数の電気的なコンタクトがそれぞれ対で、十字型プラグ構造のセグメント内に配置されている、差動式信号及びデータ伝送用プラグコネクタに関している。
【０００２】
この種のプラグコネクタは、多重の双軸ケーブル接続を介した信号の最良な伝送を保証するために必要とされる。
【背景技術】
【０００３】
４つの線路対が信号伝送のための設けられているプラグコネクタは、様々な保護法が妨げになっているとはいえ、ほぼ従来技術として見なされつつある。
【０００４】
例えばEP 0 755 100 B1明細書からは既に、個別に遮蔽された撚り線対を備えたケーブル用のコンタクトセットが開示されており、そこでは４つの線路対がコンタクトホルダー内でそれぞれ矩形状のプラグ本体外側面に設けられている。
【０００５】
さらにEP 0 809 331 B1明細書からは多極型プラグシステムが公知である。このシステムではそれぞれ１つの線路対が別個のガイド本体に収容されており、このガイド本体は十字型構造で形成され、垂直方向と水平方向の分離壁によって分離されている。
【０００６】
このタイプのプラグコネクタは、明らかにケーブル接続のために設計されたものである。しかしながらそうこうしているうちにイーサーネット特有のネットワーク技術に対する分散型周辺機器も開発がすすみ、そこでは外付けの丸型プラグコネクタも差し込まれなければならない。そのため分散型の分配器においても丸型プラグコネクタができるだけコストがかからないように、遮蔽されたハウジング内の１つ若しくは複数のプリント基板上に配置されている。
【０００７】
発明の課題
本発明が解決しようする課題は、プラグコネクタハウジング内の遮蔽された複数のチャンバ内に、複数の電気的な線路がそれぞれ対で配置される、高周波信号の伝送に適したプラグコネクタを提供することである。ここではプリント基板の取り付けに対して屈曲タイプのみでなく、直線タイプに関するバリエーションも想定される。
【０００８】
前記課題は本発明により、垂直に交わる２つの壁部からなるプラグコネクタ用十字型構造部が、長手方向に延在する等辺の導電性十字型遮蔽部として形成され、
前記十字型遮蔽部は、ほぼ十字型に成形された電気的に絶縁性の材料からなるコンタクト支持部によって少なくとも部分的に取り囲まれ、
前記コンタクト支持部の十字型構造部内に、内部エッジを備えた端部領域が成形されており、該端部領域は複数の収容溝を有しており、
該収容溝には軸方向に平行となるように配向された複数の電気的コンタクトが配置されており、さらに、
前記コンタクト支持部は、前記電気的コンタクトと共に電気的に絶縁性の丸型本体によって取り囲まれる構成によって解決される。
【０００９】
本発明の別の有利な構成例は従属項に記載されている。
【００１０】
本発明は、差動式に構成された４つの信号線路が、当該４つの差動式信号線路の最適な遮蔽のために、相互に分離された４つのチャンバー内に収容されている、丸型プラグコネクタである。
【００１１】
その際有利には、丸型プラグコネクタにおいて十字型の長手構造部が設けられ、該長手構造部の各セグメント内にはそれぞれ１つの差動式信号線路が、つまり、それぞれ２つの個別線路が設けられている。それに対して、絶縁材料からなる電気的なコンタクトのための支持体として、コンタクト支持部が設けられており、このコンタクト支持部は十字型遮蔽部を次のように取り囲んでいる。すなわち前記コンタクト支持体が当該十字型遮蔽部の周囲に直接射出成形された形態で、前記十字型遮蔽部上をシフト可能となるように、若しくはそれに対して多分割に係止可能となるように取り囲んでいる。
【００１２】
ここでは全部で８つの電気的なコンタクトがそれらの差込側にブッシュ若しくはピンを備えており、それらが有利には十字型コンタクト支持部の端部領域の相応の収容溝に挿入される。
【００１３】
プリント基板の取り付けに対しては、端子端部が約９０°折り曲げられており、その際にはプリント基板上で円形の端子構成を達成するために前記コンタクトにおいて異なった長さが生じる。この装置には絶縁性の丸型本体が挿入され、この丸型本体は、その差込領域に４つの扇状セグメントを有しており、この扇状セグメントにはそれぞれ２つの電気的なコンタクトが収容されている。
【００１４】
それにより有利にはロスのない信号伝送が可能となり、さらに前記絶縁性の丸型本体は金属製の導電性ハウジングによってフロントプレート突出部の形態で対向プラグと接続可能となるか、又は、プリント基板を取り囲む導電性のハウジング内で、内部のプラグコネクタが外から挿入される対向プラグと完全に接続可能になる。
【００１５】
端子端部の正確な配向については、有利には、位置決め支援部が設けられる。この位置決め支援部は端子側においてプラグコネクタに固定され、プリント基板端子の配置構成に応じて複数の孔部（開口部）を有している。それにより前記端子端部が正確にプリント基板端子に配向されるようになる。
【００１６】
ここでは、前記複数の孔部の円形の配置構成において、高さの分散も段階的になされることにより、有利には全てのプリント基板コンタクトが同時に位置決め支援部内へ通されることが回避される。
【００１７】
前記電気的なコンタクトはワイヤコンタクトとして構成され、長手溝においてそれぞれ対応する溝内に、コンタクト支持体の４つのセグメント内で係止され、それによってその上をシフトする丸型本体が当該のコンタクトを確実に収容するようになる。その際に前記電気的コンタクトは選択的にピンコンタクトとして構成されてもよいし、ブッシュコンタクトとして構成されてもよい。ここで示されている有利な丸型プラグコンタクトは、直線型バージョンと折れ曲がったバージョンとで示されており、プリント基板に直接取り付けられるように設計されている。しかしながら当該のプラグコネクタに対しては、矩形若しくは正方形の形態でも実施が可能である。その上さらに前記電気的なコンタクトは、そのクリップ領域を除いて、コンタクト支持部の相応の凹部内で、プラスチック体に直接埋め込まれていてもよい。
【００１８】
別の有利な実施形態によれば、前記プラグコネクタは、プリント基板上に取り付けるために、折り曲げられた構造部を有していてもよい。この折り曲げられたバージョンについては、最初に十字型遮蔽部が折り曲げられる。その際には有利には電気的コンタクトの直角方向への折り曲げが考慮されてもよい。それによりプリント基板上で、コンタクトの全長が差込側から端子側まで中断されることなく遮蔽される。
【００１９】
まず最初に、プラグコネクタは、さらなる遮蔽性外皮部分は何も持たない。なぜならプリント基板ボードとの最終取り付けが少なくとも全ての構造部を含んだ遮蔽性のハウジング内で行われるからである。
【００２０】
しかしながら別の有利な実施形態によれば、前記プラグコネクタは、自身を直接取り囲む導電性のスリーブ内に挿入されてもよい。
【００２１】
しかしながら次のような適用例も提案される。すなわちプリント基板上に固定された１つ若しくは複数のプラグコネクタを電気的に絶縁性のハウジング内に設けることである。その場合には前記プラグコネクタが導電性フロントプレート内の導電性のフロントプレート突出部の中に挿入され、それによって当該フロントプレート突出部が同時に、差し込まれてくる対向プラグのための固定手段としても機能するようになる。
【００２２】
この場合のプラグコネクタないしは丸型本体は、"フロート式"に支持される。すなわち、プラグコネクタはプリント基板に対してのみ保持される。それに対して挿入される対向プラグは有利にはフロントプレート突出部へのねじ込みによって保持される。その際のねじ込み部分は、丸型プラグコネクタを介して達成されるスリーブ状に成形されたものであってもよい。プラグコネクタと対向プラグは相互に固定的に結合されるのではなく、遮蔽ばねを用いた遮蔽作用が実行される。
【００２３】
本発明のさらに別の有利な実施形態によれば、プリント基板に対して直角方向に取り付け可能な、プラグコネクタの直線構造も提案され得る。その際の挿入される電気的コンタクトは全て同じ構造形態となる。
【００２４】
以下では本発明の実施例を図面に基づき詳細に説明する。
【図面の簡単な説明】
【００２５】
【図１】十字型遮蔽部を等角図で示した図
【図２．０】射出成形されたコンタクト支持部を有する十字型遮蔽部を等角図で示した図
【図２．１】十字型遮蔽部上をシフトさせるためのコンタクト支持部を等角図で示した図
【図２．２】十字型遮蔽部上を相互にシフトさせるための２つの半部からなるコンタクト支持部を等角図で示した図
【図２．３】十字型遮蔽部上で係止させるための２つの長手方向半部からなるコンタクト支持部を等角図で示した図
【図２．４】十字型遮蔽部上で係止させるための４つのセグメントからなるコンタクト支持部を等角図で示した図
【図２．５】十字型遮蔽部上で係止させるための４つのセグメントからなる薄いヒンジ結合部と関連したコンタクト支持部を等角図で示した図
【図３】電気的コンタクトの平面図
【図４】丸型本体を示した図
【図５】十字型遮蔽部に位置決めされるコンタクト支持部に取り付けられたコンタクトを等角図で示した図
【図６】位置決め支援部を等角図で示した図
【図７】取り付けを完全に終えたプラグコネクタを等角図で示した図
【図８】フロントプレート突出部内のプラグコネクタを差込側から示した図
【図９】フロントプレートのフロントプレート突出部内のプリント基板上の折り曲げられたプラグコネクタを端子側から示した図
【図１０】プリント基板上に垂直方向に取り付けられフロントプレート突出部によって取り囲まれた、直線型プラグコネクタを示した図
【００２６】
実施例
図１には、プラグコネクタ１のためのその軸方向に拡張された導電性の十字型遮蔽部１０が示されている。ここでは十字状の構造部によって、半開放された４つの四分の一区分１６が存在し、その中に電気的コンタクト３０がそれぞれ対になって配置される。
【００２７】
前記十字型遮蔽部１０は、相互に直角方向に配向された２つの壁部１１，１２から形成されており、ここに示されている屈曲型タイプでは、垂直壁部１１の両側において、２つの水平壁部１２に続いて２つの垂直壁部１３が後からそこに配置される上方及び下方の電気的コンタクト３０を分離するために設けられている。
【００２８】
さらに前記垂直及び水平壁部１１，１２はそれぞれ片側に、軸と平行に配向された細溝１８を有しており、この細溝１８にはそれに対して設けられるコンタクト支持部２０の対応する側の隆起状部２６が係合する。これらは以下でも説明するコンタクト支持部２０の案内のために用いられる。この場合十字型遮蔽部の差込側の幾何学形態は規格に合わせて設定される。
【００２９】
十字型遮蔽部１０の長手方向延在部分のほぼ中央付近の、前記垂直及び水平壁部１１，１２の外縁にはそれぞれ対向する第１及び第２の係止成形部が設けられている。ここでの第１の係止成形部１５.１は、コンタクト支持部２０の係止のために設けられ、第２の係止成形部１５.２は、後から取り付けられる丸型本体４０のシフトのために設けられている。さらに前記十字型遮蔽部１０には、プリント基板６５との電気的なコンタクト形成のためのアースピン１７も設けられている。
【００３０】
図２.１には一体型のコンタクト支持部２０.１の基本構成例が示されており、その内部中空空間２９内に当該十字型遮蔽部１０がシフト可能である。前記コンタクト支持部２０.１の外側端部領域にはそれぞれ等辺の内部エッジ２２が約４５°の角度を伴って軸方向に配向されている。この内部エッジ２２はそれぞれ２つの隣接して成形された収容溝２３を有している。
【００３１】
この収容溝２３は複数の異なる区分を有しており、詳細には、第１の区分２４.１（矩形の内部エッジ）、第２の区分２４.２（丸い溝）、第３の区分２４.３（丸い溝、但し第２の区分２４.２のよりも大きな直径を有している）である。さらに前記コンタクト支持部２０.１の外部エッジに沿って、係止ホック２８を備えた軸方向のスリット２７が設けられている。それについては十字型遮蔽部１０の係止のためにそれぞれ２つの対向する第１係止成形部１５.１と、それに対して直角方向の第２係止成形部１５.２とがコンタクト支持部２０.１上をシフトする丸型本体４０の係止のために設けられている。
【００３２】
図２.０には、このような同種のコンタクト支持部２０.１の特定の実施形態が示されており、ここでのコンタクト支持部は射出成形によって直接的に、十字型遮蔽部１０と一体的に結合される。
【００３３】
図２.２は多分割型のコンタクト支持部２０.２が示されている。ここでは２つのセグメント部分が設けられており、それらはそれぞれ片方の側から軸方向で十字型遮蔽部上をシフト可能に構成され、スティック状の係止手段２５.１及び前記係止成形部１５.１，１５.２と協働して十字型遮蔽部１０を中央で両側から取り囲んでいる。それに対して前記コンタクト支持部２０.２の各外部エッジ２１の中央で協働する領域には相応の凹部２１.２が設けられている。
【００３４】
図２.３には、２つの個別セグメント２０.３からなる多分割型のコンタクト支持部が示されており、これらの２つの個別セグメントは同種の半部として上下に配置され、前記十字型遮蔽部１０を取り囲み相互に係止される。
【００３５】
さらに図２.４では４つの個別セグメント、詳細には４つの同種のセグメント２０.４が十字型遮蔽部１０の周囲に配置されて合体され、それぞれ係止手段２５.２によって相互に係止されている。
【００３６】
図２.５では、一体型のコンタクト支持部２０.５が示されており、このコンタクト支持部はここではそれぞれ薄いヒンジ結合部を用いて相互に結合された４つのセグメント２０.６から形成されている。それらは十字型遮蔽部１０の周囲に配置され、その端部において係止手段２５.３を用いて相互に係止可能となるように構成されている。
【００３７】
以下の明細書では簡略化の理由からコンタクト支持部の様々なバージョンをそれぞれ包括的に"コンタクト支持部２０"と称するものとする。なぜならそれらの特殊な外縁はいずれにせよ同じ機能特徴を有しているからである。
【００３８】
図３には、ワイヤ形状の電気的コンタクト３０が示されており、この電気的コンタクトは様々なコンタクト支持部バージョン２０の収容溝２３における種々異なって成形された区分２４に対して好適に成形された種々の領域を有している。電気的コンタクト３０の差込側３１はスティック状に、若しくはブッシュ状に構成され得る。それに対して蝋付け側３２.１はそれぞれ約９０°だけ軸から折り曲げられている。電気的なコンタクト３０の長さは種々異なっている。その際には屈曲された蝋付け側を伴う第１領域３２.１が常に短く形成されてもよいし、長く形成されていてもよい。重要なのは次に続く第２領域３２.３であり、この領域のコンタクト部分は四角形の形態を有しており、それが前記コンタクト支持部２０の角張った縁部を有する第１区分２４.１内に収容される。それにより、後からのプリント基板６５への取り付けに先立つ、蝋付け側の最初の大まかな方向付けが達成される。第３領域３２.３は、総じてコンタクト支持部２０の第２区分２４.２内における前記電気的コンタクト３０のクリッピングと保持のために設けられている。それに対して第４領域３２.４は比較的大きな直径を備えており、これは前記コンタクト支持部２０の第３区分２４.３の長い案内溝に挿入される。
【００３９】
図４には、丸型本体４０が示されている。この丸型本体４０は、前記十字型遮蔽部１０とコンタクト支持部２０とからなる十字型の構造部上をシフト可能である。
【００４０】
この表面的かつ実質的に丸い輪郭を有している、非導電性の材料から形成された丸型本体４０の内部形態は、前記コンタクト支持部２０外側の十字形態に整合されている。この場合対向している２つの長手スリット４４は係止ホック４５を備えており、この係止ホックに十字型遮蔽部１０の第２係止成形部１５.２が係止のために係合する。前記長手スリット４４の端部においては当該丸型本体４０の周囲に亘って環状溝４６が成形されており、この溝にいわゆる遮蔽ばね６０が挿入される。この遮蔽ばね６０は、図に示されているのとは異なった形状を有するものであってもよい。
【００４１】
さらに丸型本体４０は、扇状セグメント４２を備えた差込側４１を有しており、前記扇状セグメントには、ブッシュ状若しくはスティック状に形成された電気的コンタクト３０の差込側３１のためにそれぞれ２つの孔部４３が形成されている。前記扇状セグメント４２の間には、少なくとも部分的に、前記十字型遮蔽部１０の垂直壁部１１と水平壁部１２が係合する。なおここではスティック状コンタクトを備えた実施形態の丸型本体をコンタクト支持部の周囲に直接射出成形することも可能である。
【００４２】
図５には、既に一部合体されたプラグコネクトが示されており、このプラグコネクタには、電気的コンタクト３０が挿入されたコンタクト支持部２０がシフトされて組み込まれた十字型遮蔽部１０が含まれている。
【００４３】
図６には、電気的コンタクト３０の蝋付け側３２.１の配向のための位置決め支援部５０が示されている。この位置決め支援部５０は前記丸型本体４０に付属され、固定ピン５５を用いてプリント基板６５上に嵌め込まれる。この位置決め支援部５０は最初は高いレベル面の２つの四分円区分ないし扇状区分５２を備えたフラットなディスク５１として形成される。
【００４４】
それにより当該位置決め支援部の取り付ける際には、まず最初に電気的なコンタクト３０の蝋付け側３２.１が前記のせり上がった区分５２の孔部５３.１内に挿入され、それに続いて残りのコンタクト部分がフラットな領域５１の孔部５３.２内に挿入される。前記電気的コンタクト３０の蝋付け可能な端子端部３２.１の所望の円形な配置構成に応じて、前記位置決め支援部５０の前記孔部５３.１，５３.２も配置され得る。さらにここでは前記十字型遮蔽部１０のアースピン１７のための孔部５４も必要である。さらに、前記丸型本体４０に向いた側には、前記丸型本体４０内での保持のための２つのピン５７も形成されている。それに対して反対側の面には、少なくとも１つの固定ピン５５がプリント基板６５のために設けられている。
【００４５】
その他に前記位置決め支援部５０の、プリント基板６５に向いた側には、当該位置決め支援部を間隔を開けてプリント基板６５に載置するための、ここでは図示されていない例えば浮き彫り状の等辺の十字型のスペーサが設けられていてもよい。
【００４６】
図７には、付加的に位置決め支援部５０が付属した既製タイプのプラグコネクタ１が示されている。ここでは丸型本体４０において環状溝４６に遮蔽ばね６０が組み込まれている様子が見て取れる。これにより以下でさらに説明するフロントプレート突出部７５との確実なコンタクト形成が保証される。前記遮蔽ばね６０はここでは渦巻きばねとして示され、第２の係止成形部を介した十字型遮蔽部１０と、導電性の金属製フロントプレート突出部７５との間のアース接続形成を担っている。
【００４７】
図８には、丸型プラグコネクタ１のためのフロントプレート突出部７５が例示的に示されており、このフロントプレート突出部７５の中に丸型本体４０がシフト可能である。ここでは遮蔽ばね６０を用いて、フロントプレート７０を介した一般的なボディアースに対するアース電流の接続形成が保証されている。それにより基本的に、完全なプラグコネクタ１の４つのセグメント４２毎にその中に設けられた電気的コンタクト３０が外部からの電圧から最適に密閉された形態で遮断される。対向プラグが差し込まれた状態では、その十字型遮蔽部が、丸型本体４０の４つのセグメント４２によって形成される十字型の差込部に係合し、それによって４つのセグメント内で信号線路の完全なシールドが得られるようになる。
【００４８】
図９には、折り曲げられたプラグコネクタ１が端子側からの透視図で示されている。このプラグコネクタ１はプリント基板６５上に固定され、遮蔽されたスリーブ内で片持ち式に支持されフロントプレート突出部７５に挿入されている。すなわちここでのプラグコネクタ１は相対的に露出され、遮蔽ばねとコンタクト形成すべく、フロントプレート７０にねじ込まれているフロントプレート突出部７５内に包含されている。この場合コンタクト形成すべき対向プラグはフロントプレート突出部７５内に固定的にねじ込まれるか若しくは固定可能に係止される。
【００４９】
図１０にはプラグコネクタ２のいわゆる直線タイプの変化実施例が示されている。すなわちこの電気的コンタクトは同じ長さで直線的に貫通するように構成されている。この種のプラグコネクタは、図にも示されているようにプリント基板６５に対して垂直に載置されている。その他にも、当該プラグコネクタ２に取り付けられているフロントプレート突出部７５がここでは示されている。しかしながら全ての適用ケースにおいて、障害的な電磁放射から保護される信号シールドは、少なくとも前記プラグコネクタ１及び２に対して設けられたフロントプレート突出部７５によって実施される。
【００５０】
ハウジングについては例えばスリーブとして成形されたものであってもよい。また前記フロントプレート突出部７５として例えばプラグシックケーシングに組み込まれてもよい。その際には、１つ若しくは複数のプラグコネクタ１が既にプリント基板６５上で対向プラグを差し込むためのフロントプレート突出部の配向方向に対応して設けられる。あるいはプリント基板は、対応する対向プラグの差込みに対して、当該基板上に載置されるプラグコネクタと共に金属製ハウジング若しくは導電性ハウジング８０内に収容されていてもよい。
【符号の説明】
【００５１】
１      プラグコネクタ（折り曲げタイプ）
２      プラグコネクタ（直線タイプ）
３      差込側
５      端子側
１０    十字型遮蔽部（導電性）
１１    垂直壁部
１２    水平壁部
１３    ９０°曲げられた壁部
１４    差込側
１５.１  第１係止成形部（コンタクト支持用）
１５.２  第２係止成形部（丸型本体用）
１６    十字型遮蔽部の四分の一区分
１７    アースピン
１８    細溝（隆起状部２６用）
２０.０  コンタクト支持部（十字型遮蔽部に射出成形）
２０.１  コンタクト支持部（一体型、スライド可能）
２０.２  コンタクト支持部（二分割型、中央でスライド可能）
２０.３  コンタクト支持部（二分割型、上下にスライド可能）
２０.４  コンタクト支持部（四分割型、相互にスライド可能）
２０.５  コンタクト支持部（ヒンジ結合部を備えた４つのセグメントタイプ）
２０.６  セグメント
２０.７  ヒンジ結合部
２１    外部エッジ
２１.２  凹部（コンタクト支持部２０.２の）
２２    内部エッジ（等辺タイプ）
２３    収容溝
２４.１  第１区分（矩形タイプ、分極用）
２４.２  第２区分（丸型、クリッピング用）
２４.３  第３区分（丸型、案内用）
２５.１  係止手段（コンタクト支持部２０.２用）
２５.２  係止手段（コンタクト支持部２０.３，２０.４用）
２５.３  係止手段（コンタクト支持部２０.５用）
２６    隆起状部（細溝１８用）
２７    長手スリット（コンタクト支持部２０.１のシフト用）
２８    係止ホック（コンタクト支持部用）
２９    十字型中空空間
３０    コンタクト、ワイヤコンタクト
３１    差込側（スティック又はブッシュ）
３２.１  第１領域、端子端部（折り曲げタイプ）、蝋付け側、
３２.２  第２領域（分極用矩形領域）
３２.３  第３領域（クリッピング領域、丸型）
３２.４  第４領域（案内領域、丸型）
４０    丸型本体
４１    差込側
４２    扇状セグメント
４３    コンタクト用孔部
４４    長手スリット（係止用）
４５    係止ホック
４６    環状溝
４７    固定ピン（垂直方向の取り付け用）
５０    位置決め支援部
５１    ディスク
５２    四分円区分、扇状区分
５３.１  コンタクト用開口部（５２）
５３.２  コンタクト用開口部（５１）
５４    アースピン（１７）用孔部
５５    固定ピン（ＬＰ用）
５６    十字型スペーサ（リフローソルダリング用）
５７    固定ピン（丸型本体用）
６０    遮蔽ばね
６５    プリント基板
７０    フロントプレート
７５    フロントプレート突出部
８０    ハウジング
【図１】
0005602947.tif 000002
【図２．０】
0005602947.tif 000003
【図２．１】
0005602947.tif 000004
【図２．２】
0005602947.tif 000005
【図２．３】
0005602947.tif 000006
【図２．４】
0005602947.tif 000007
【図２．５】
0005602947.tif 000008
【図３】
0005602947.tif 000009
【図４】
0005602947.tif 000010
【図５】
0005602947.tif 000011
【図６】
0005602947.tif 000012
【図７】
0005602947.tif 000013
【図８】
0005602947.tif 000014
【図９】
0005602947.tif 000015
【図１０】
0005602947.tif 000016